(57)【特許請求の範囲】
【請求項１】
人体検知装置の人体検知信号により制御される便器電装品において、該人体検知装置は、検知エリアの境界を徐々に変更し対象物が初めて検知又は不検知になったときの境界から所定の距離を減じた距離に基づいて検知エリアの上限値を設定する境界設定手段を設けたことを特徴とする便器電装品。
【請求項２】
請求項１において、便器電装品は、便蓋の自動開閉装置、便器の自動洗浄装置、又は脱臭装置であることを特徴とする便器電装品。
【発明の詳細な説明】
【０００１】
【発明の属する技術分野】
本発明は人体検知装置を用いた便器電装品に係り、特に便蓋の自動開閉装置等に適用するのに好適な便器電装品に関する。
【０００２】
【従来の技術】
第３図は便蓋の自動開閉装置を備えた洋風便器の斜視図である。この洋風便器１０に便座ボックス１２が設置され、便座１４及び便蓋１６が上下方向回動可能に該便座ボックス１２に取り付けられている。符号１８はロータンクを示す。
【０００３】
この便座ボックス１２は側方に張り出す張出部２０を備えており、この張出部２０上に人体臀部を温水で洗浄する温水洗浄装置等の操作スイッチが設けられている。
【０００４】
この便座ボックス１２内に便蓋１６を起倒回動させるためのモータ等の駆動装置が設けられており、張出部２０にはこの駆動装置を作動させるべく人体検知センサ２２が設けられている。
【０００５】
この人体検知センサとしては赤外線センサ例えばＰＳＤ(position  sensitive  detector)などが用いられている。このＰＳＤは、発光素子からセンサを発光させ、人体からの反射光をＰＳＤ素子上に集光させ、該ＰＳＤ素子上の集光位置に基づいてセンサから人体までの距離を求めるようにしたものである。
【０００６】
第４，５図に示すように、この人体検知センサ２２の赤外線は洋風便器１０の前方斜め上方、且つ洋風便器１０の中央側に向って放射される。
【０００７】
通常の場合、該センサ２０は、人体が洋風便器１０の前端付近までの距離Ｌｍｉｎとそれよりも約３００ｍｍ先までの距離Ｌｍａｘとの間の検知エリアに入り込むと人体検知信号を出力する。この信号の入力を受けた制御回路が便蓋駆動装置を駆動し、便蓋１６が起立回動する。検知エリア内に人体が検知されなくなると、所定時間（例えば１分）経過後に便蓋１８が自動的に閉止回動する。
【０００８】
なお、便座１４に着座した人体を検知する着座センサを設けておき、着座が検知されなくなってから所定時間後に便蓋１８を自動的に閉止させることもある。
【０００９】
【発明が解決しようとする課題】
トイレルームが狭い場合、洋風便器の前方３００ｍｍ程度の位置に壁やドアが位置することがある。このような場合、従来の便蓋自動開閉装置付き洋風便器は、（壁又はドアが常に検知されるため）設置できないことになる。
【００１０】
また、トイレルームが広い場合には、トイレルームに人が入った段階ですぐに便蓋が開くようにしたいことがあるが、従来の人体検知装置では人体が洋風便器に３００ｍｍ程度にまで近づかないと便蓋が開かないという不便がある。
【００１１】
本発明は、このような不便を解消し、人体検知エリアの境界を自ら設定しうる人体検知装置を用いた便器電装品を提供することを目的とする。
【００１２】
【課題を解決するための手段】
本発明の便器電装品は、人体検知装置の人体検知信号により制御される便器電装品において、該人体検知装置は、検知エリア内の人体を検知する人体検知装置において、検知エリアの境界を徐々に変更し対象物が初めて検知又は不検知になったときの境界から所定の距離を減じた距離に基づいて検知エリアの上限値を設定する境界設定手段を設けたことを特徴とするものである。
【００１３】
【発明の実施の形態】
第１図は実施の形態に係る便蓋自動開閉装置のブロック図である。
【００１４】
この便蓋自動開閉装置を備えた洋風便器の外観構成は前記第３図と同様であり、便座ボックスの張出部２０に人体検知センサ２２が設けられている。また、便座１４又はその支持部に着座センサ２４が設けられている。便座ボックス１２の適宜の箇所例えば張出部２０には、この人体検知センサ２２の検知エリアの上限値を設定する検知エリア調節スイッチ２６が設けられているが、このスイッチ２６は単独に独立して設けられたものであってもよく、他の２個以上のスイッチ（例えば洗浄スイッチと乾燥スイッチ）を同時に押すこと等によって検知エリア調節信号を発生するものであってもよい。
【００１５】
人体検知信号、着座信号及び検知エリア調節信号は制御回路２８に入力され、この制御回路２８によって便蓋１６の回動用のモータ駆動回路３０が制御される。
【００１６】
この便蓋自動開閉装置においても、人体が人体検知センサ２２の検知エリア内に入ると便蓋１６が起立回動し、該エリア外に出ると便蓋１６が倒伏回動する。また、便蓋１６が起立した後、着座信号が入力し、その後着座が不検知になると所定時間（例えば１分）経過後に便蓋１６が閉止回動する。
【００１７】
検知エリア調節スイッチ２６から検知エリア調節信号が入力された場合には第２図に示す制御が実行される。
【００１８】
即ち、まず検知エリアの上限（最大距離）Ｌを十分に大きな値Ｌ０に設定する。このＬ０は例えば１０００ｍｍとしたり、或いは人体検知センサ２２の検知上限距離に設定される。
【００１９】
そして、このＬ〜Ｌｍｉｎの間に物体（例えばトイレルームの壁又はドア。なお、ドアの場合はドアを閉めておく。）が存在するか否かを判定する。Ｌ０を十分に大きな値としているので、通常は壁又はドアが検知される。そこで、次にＬを１０ｍｍだけ短い距離に設定し、再度Ｌ〜Ｌｍｉｎの間のエリアに壁やドアが検知されるか否かを判定する。このプロセスを壁やドアが検知されなくなるまで繰り返す。そして壁やドアが初めて検知されなくなったときのＬから５０ｍｍ減じた値をＬｍａｘとして設定する。
【００２０】
これにより、トイレルームが狭く壁やドアが洋風便器前方に近接している場合であっても便蓋自動開閉装置付き洋風便器を該トイレルームに設置することが可能となる。また、トイレルームが広い場合であってもトイレルームに入るとすぐに便蓋が開くようになる。
【００２１】
この第２図にあってはＬを徐々に減少させているが、逆にＬをＬｍｉｎ（あるいはＬｍｉｎよりも少しだけ大きい値）から徐々に増大させてもよい。
【００２２】
なお、第２図で例示した１０ｍｍや５０ｍｍはあくまでも一例であり、他の値であってもよいことは明らかである。
【００２３】
また、第２図ではＬｍａｘを１回の調節プロセスにて決定しているが、２回以上調節プロセスを繰り返し、それらの平均値などを採用してもよく、このようにすればＬｍａｘを精度よく設定することができる。
【００２４】
本発明は便蓋自動開閉装置以外の便器電装品例えば、便器の自動洗浄装置、又は脱臭装置或いは操作部等の自動照明などにも適用可能である。この自動洗浄装置は大便使用時、小便使用時のいずれでもよい。また、赤外線以外の超音波や可視光などによって距離を測定する人体検知装置も本発明に適用できる。
【００２５】
【発明の効果】
以上の通り、本発明によると検知エリアを自動的に設定しうる人体検知装置を用いた便器電装品が提供される。本発明によれば、例えば狭いトイレルームに便蓋自動開閉装置付きの洋風便器を設置したり、広いトイレルームであっても入室すると直ちに便蓋が開くように便蓋自動開閉装置を構成すること等が可能となる。
【図面の簡単な説明】
【図１】実施の形態に係る便座自動開閉装置のブロック図である。
【図２】実施の形態に係る便座自動開閉装置の検知エリア調節プロセスを示すフローチャートである。
【図３】便蓋自動開閉装置付き洋風便器の斜視図である。
【図４】便蓋自動開閉装置付き洋風便器の側面図である。
【図５】便蓋自動開閉装置付き洋風便器の平面図である。
【符号の説明】
１０  洋風便器
１１  便座ボックス
１４  便座
１６  便蓋
１８  ロータンク
２０  張出部
２２  人体検知センサ
２４  着座センサ
２６  検知エリア調節スイッチ
２８  制御回路
３０  モータ駆動回路
【図１】
0003632540.tif 000002
【図２】
0003632540.tif 000003
【図３】
0003632540.tif 000004
【図４】
0003632540.tif 000005
【図５】
0003632540.tif 000006